(57)【要約】【課題】保持金具つまり永久磁石の取り付け位置を調整可能にして施工時の作業性を向上させるとともに取り付け状態では堅固に固定される引き戸式ドアの開閉保持装置における保持金具を提供すること。【解決手段】下端に底板４を有する垂直な支持板１の左右両側縁に、前記底板４を間にして対向する側板２，３を設け、その一方の側板３の外面に永久磁石５を取り付けるとともに両側板の下端縁にはドア１３を吊持させる戸車レール１２の上面部と摺動可能に嵌め合う載承部２ａ，３ａを設け、前記底板にはボルト６の取り付け用ネジ孔７を設けてなること。【選択図】      図１
2004263394.tif 000002
【特許請求の範囲】
【請求項１】
下端に底板を有する垂直な支持板の左右両側縁に、前記底板を間にして対向する側板を設け、その一方の側板の外面に永久磁石を取り付けるとともに両側板の下端縁にはドアを吊持させる戸車レールの上面部と摺動可能に嵌め合う載承部を設け、前記底板にはボルト取り付け用のネジ孔を設けてなる引き戸式ドアの開閉保持装置における保持金具。
【請求項２】
上記支持板には、側板の長さを拡大するために屈曲部を形成したことを特徴とする請求項１記載の引き戸式ドアの開閉保持装置における保持金具。
【請求項３】
上記永久磁石には、非磁性材からなるカバーを被嵌せしめたことを特徴とする請求項１又は２記載の引き戸式ドアの開閉保持装置における保持金具。
【請求項４】
上記永久磁石と側板との間隔を調整可能にしたことを特徴とする請求項１〜３の何れか１項記載の引き戸式ドアの開閉保持装置における保持金具。
【請求項５】
上記両側板にそれぞれ軸孔を設け、その軸孔を利用して何れか一方の側板に永久磁石を選択的に取り付けるようにしたことを特徴とする請求項１〜４の何れか１項記載の引き戸式ドアの開閉保持装置における保持金具。
【発明の詳細な説明】
【０００１】
【発明の属する技術分野】
本発明は引き戸式ドアの開閉保持装置における保持金具、詳しくは自動又は手動の引き戸式ドアが全閉した状態又は全開した状態で、その閉じ状態又は開き状態を保持させておくようにした引き戸式ドアの開閉保持装置において使用される磁石取り付け用の保持金具に関する。
【０００２】
【従来の技術】
従来、この種ドアの開閉保持装置は特許文献１に示すように知られている。
すなわち、特許文献１には、固定側２Ａに永久磁石よりなる吸着ストッパ３が固定され、ドア部１の全開位置または全閉位置で吸着ストッパ３に当たる吸着部４がドア部１に設けられ、吸着部４と吸着ストッパ３とが永久磁石の力でもって互いに吸着し合うようにした引き戸式自動ドアの全開又は全閉保持装置が開示されている。
【０００３】
そして、上記特許文献１によれば、吸着ストッパ３は、固定側２Ａに固定された支え８にボルト９でもって取り付けられている（［００１０］［００１１］、図２及び図３参照）。
すなわち、吸着ストッパ（永久磁石）３を支持するための保持金具である支え８は、固定側２Ａとの取り付け構造が必ずしも明らかではないが、無目内の壁板又は台板に一体又はボルト止め等により固定されているものであろう。
したがって、上記従来の保持金具は、その取り付け施工上、何らの工夫も施されているものではなかった。
【０００４】
【特許文献１】
特開２０００−１３００２０号公報
【０００５】
【発明が解決しようとする課題】
上記ドアの開閉保持装置において、上記吸着ストッパ（永久磁石）３を取り付ける支え（保持金具）８は、ドアが全開又は全閉した状態でドア側の吸着部４が吸着ストッパ３に適切に吸着又は近接することが重要であり、そのために、ドアの施工時に保持金具の取り付け位置を固定側２Ａとの間で調整する必要がある。
また、保持金具の取り付け状態では、固定側２Ａに堅固されていることも必要である。
しかるに、上記特許文献１に記載の装置においては、支え８を固定側２Ａとの間で位置調整することはできず、ドアの施工時において作業上の不具合がみられる。
【０００６】
本発明は、上記従来事情に鑑みて、保持金具つまり永久磁石の取り付け位置を調整可能にして施工時の作業性を向上させるとともに取り付け状態では堅固に固定される引き戸式ドアの開閉保持装置における保持金具を提供せんとするものである。
【０００７】
【課題を解決するための手段】
斯る本発明の引き戸式の開閉保持装置における保持金具は、下端に底板を有する垂直な支持板の左右両側縁に、前記底板を間にして対向する側板を設け、その一方の側板の外面に永久磁石を取り付けるとともに両側板の下端縁にはドアを吊持させる戸車レールの上面部と摺動可能に嵌め合う載承部を設け、前記底板にはボルト取り付け用のネジ孔を設けてなることを特徴とする（請求項１）。
この保持金具は、引き戸の戸車レール、詳しくは、出入口の上部に配設されて引き戸式のドアに設けた戸車を走行可能に吊持させる戸車レールに取り付け固定するが、保持金具の底板を戸車レールの下位に差し込んだ状態で、前記左右両側板の載承部を戸車レールの上面部に嵌め合い載置させ、前記底板のネジ孔にボルトを下方より螺合させてその上端を戸車レールの底面に押し付けることにより、保持金具が定置に固定される。
そして、上記ボルトを緩めた状態では、前記側板の載承部が戸車レールに摺動可能であるので、保持金具を戸車レールに沿って移動可能であって永久磁石の配置を調整することができる。
【０００８】
上記保持金具の支持板は、左右の両側板にわたり平坦面形状として平面視コ型とすることもよいが、好ましくは、一方又は両方の側板寄りに後方へ突出する屈曲部を形成する（請求項２）。
それにより、側板の長さを増大させて永久磁石の取り付け面積を拡大させることができるとともに、側板に内向きの押圧力がかかった際に弾力性が付与されるようにする。
【０００９】
また、永久磁石には非磁性材からなるカバーを被嵌せしめることが好ましい（請求項３）。
それにより、上記カバーの厚さを選択することにより永久磁石の吸引力を調整することが可能であるとともに、ドア側の吸着部材が当接した場合でも永久磁石の損傷を防止することができる。
さらに、上記側板には永久磁石を接合状に取り付けることもよいが、側板と永久磁石との間に間隔をおいて取り付けその間隔を調整可能にすれば、保持金具を定置に固定した後に永久磁石の位置を微調整することができるので好ましい（請求項４）。
【００１０】
上記保持金具は、永久磁石を一方の側板に取り付けて構成されるが、両開き引き戸においては永久磁石を逆向き、すなわち反対の側板に永久磁石を取り付けた一対が使用され、また、全開保持と全閉保持とで永久磁石を逆向きに取り付けたものを使用するなど、永久磁石の取り付けを反対にした二種類を必要とする。
それに対応するため、上記保持金具は、両側板にそれぞれ軸孔を設け、その軸孔を利用して何れか一方の側板に永久磁石を選択的に取り付けるようにする（請求項５）。
【００１１】
【発明の実施の形態】
本発明の実施の態様を図面に基づいて説明すれば、保持金具１０の全体を図１の斜視図で示し、詳細を図２〜図４の取り付け使用状態図で説明する。
【００１２】
図１において、保持金具１０は、垂直な支持板１の左右にそれぞれ側板２，３を一体に折り曲げ形成し、その一方の側板３を他方より拡大するために後方へ突出する屈曲部１ａを設けるとともに底部に底板４を形成した金具であって、前記側板３に永久磁石５を取り付けたものである。
上記側板２，３は、その下端縁を後述する戸車レール１２の上面に載置される部分であって、下端縁には戸車レール１２の上面部に摺動可能に嵌め合う載承部部２ａ，３ａを形成する。
【００１３】
底板４は、前記戸車レール１４の下位に配置される部分であり、前記側板２，３間であってそれらの下端より間隔をおいた下方に水平に位置する。
この底板４には、ボルト６，６を螺合するネジ孔７，７を穿孔している。
【００１４】
永久磁石５は、前記一方の側板３の外面に接合状に取り付け固定するとともに該永久磁石５の外周に保護カバー９を被嵌する。
この永久磁石５は、一般的なフェライト系の磁石を使用することもよいが、実施例においては、強い磁力を有するネオジウム、ホウ素、鉄を主成分とする磁石を円盤状としたものを使用しコンパクトにしている。
保護カバー９は、アルミニュームやプラスチック等の非磁性体を使用し、その厚さの異なる複数種を用意して、その中から適宜選択することにより永久磁石５の吸引力を調整するようにする。この保護カバー９は離脱できるように被嵌せしめ、又は接着剤を介して永久磁石５に固定する。
上記永久磁石５及び保護カバー９は、それらの中心を貫通し一体的に突設した螺軸８とナット８ａにより側板３に取り付けられる。
【００１５】
引き戸式ドアは、駆動部を省略した両開き型の自動ドアに適用する全閉保持装置の場合を例示し（図２〜図４参照）、無目内に配設された台板１１には、戸車レール１２が一体に形成され、その戸車レール１２に、ドア１３の上部框に取り付けたドアハンガー１４の各戸車１５を走行可能に吊持させてドア１３を開閉可能に設置している。
ドアハンガー１４は鉄等の金属磁性体であって、その一側縁を平面視Ｌ形に延設した形状とすることにより、戸車レール１２上に突出する可動吸引部１４ａを一体に形成している（図３参照）。
なお、図２においてはドア１３，１３が全閉位置にある状態を示し、符号ＣＰは全閉の戸当り位置である。
【００１６】
次に、上記保持金具１０の取り付けを説明すると、上記支持板１を前面において底板４を戸車レール１２の下側に差し込み、左右両側板２，３の載承部２ａ，３ａを戸車レール１２の上面部に嵌め合い載置させ、底板４のネジ孔７，７にボルト６，６を下方より螺合させてボルトの上端を戸車レール１２の底面に押し付ける。
それにより、左右両側板２，３の載承部２ａ，３ａが戸車レール１２に嵌め合ったまま締め付けられて保持金具１０は当該位置に取り付け固定される。
【００１７】
そして、上記自動ドアは、図示しない駆動部によってドア１３，１３が閉じ動作をして全閉位置に達したときに、ドア１３の可動吸引部１４ａが永久磁石５の保護カバー９に所定間隙Ｓをおいて対向する。その状態では、可動吸引部１４ａが保持金具１０の永久磁石５の吸引力により吸引保持されて全閉状態が保持される。
したがって、ドア１３が全閉状態の間、自動ドアは駆動部の通電をＯＦＦにすることができる。
【００１８】
なお、上記説明においては、ドア１３の全閉状態で、保持金具１０の保護カバー９とドア１３の可動吸引部１４ａとの間に所定間隙Ｓが介在するようにした場合を説明したが、それにより、吸着音の発生がなく静音化が図れるとともに永久磁石を保護することができる。
しかし、本発明の保持金具１０は、その使用例に限るものではなく、図５に示すように、ドア１３の全閉時に可動吸引部１４ａが保持金具１０の保護カバー９に吸着するようにしてもよいものである。
【００１９】
上記保持金具１０は、ドア１３の全閉位置における可動吸引部１４ａとの位置関係が重要であって、施工時に保持金具１０を戸車レール１２の所定位置に配置させる必要がある。
それに対応するため、保持金具１０の位置を調整するが、その際には、上記ボルト６，６を緩めることにより、保持金具１０の側板２，３を戸車レール１２に嵌め合った状態で該レール１２に沿って移動させて位置調整をすればよい。
また、保持金具１０を所定位置に固定した後でも、図６に示すように、磁石取り付け用の前記螺軸８を前進又は後退させ、かつナット８ａで固定させて永久磁石５と側板３との間隔を調整することができ、それにより前記間隙Ｓを微調整することが可能である。
その場合、螺軸８は調整代を設けるため長めにするとともに、ナット８ａは、側板３の両側を配置したロックナット構造とする。
【００２０】
図７は上記保持金具１０の他の実施形態を示す。
同図における保持金具２０は、前述した支持板１を左右対称形にした構造、具体的には、支持板２１の左右両側にそれぞれ屈曲部２１ａ，２１ａを介して側板２２，２２を形成し、その各側板にネジ孔である軸孔２２ａを穿孔したものである。
それにより、永久磁石５をいずれか一方の側板２２を選択して該側板２２の軸孔２２ａに取り付けること、つまり支持板２１を共通にして、永久磁石５を左側の側板または右側の側板に配置した二種類の保持金具２０を用意することができる。
なお、この場合の保持金具２０の支持板２１は、屈曲部２１ａ，２１ａを形成しない平面視コ型とすることも任意である。
【００２１】
上述した実施の形態において、引き戸式ドアは、両開き型の自動ドアに適用した場合を例示したが、それに限定されるものではなく、片開き型の自動ドアであってもよく、また、手動式の両開き又は片開きドアに適用することもよい。
また、ドアの開閉保持装置として全閉保持装置の場合を例示したが、ドアが全開した状態を保持する全開保持装置であってもよいことは当然である。
【００２２】
【発明の効果】
本発明によれば、保持金具の底板を戸車レールの下方に差し込み、かつ左右両側板の載承部を戸車レールの上面部に嵌め合い載置させた状態で、底板のネジ孔に螺合させたボルトの上端を戸車レールの底面に押し付けるることにより、左右両側板の載承部が戸車レールに嵌め合ったまま締め付けられるので、保持金具は戸車レール上に堅固に取り付け固定される。
そして、上記ボルトを緩めれば、前記側板の載承部が戸車レールに摺動可能であるので、保持金具を戸車レールに沿って移動可能であって永久磁石の配置を調整することができ、ドアの施工時において保持金具の取り付け作業を容易ならしめる。
【００２３】
また、請求項２によれば、屈曲部により側板の長さを増大させて永久磁石の取り付け面積を拡大させることができるとともに、側板に内向きの押圧力がかかった際に弾力性が付与され、保持金具の耐久性を高めることができる。
そして、請求項３によれば、永久磁石に被嵌したカバーの厚さを選択することにより永久磁石の吸引力を調整することが可能であるとともに、ドア側の吸着部材が当接した場合でも永久磁石の損傷を防止することができるなど、吸引または吸着部材として有用な効果を奏する。
【００２４】
さらに、請求項４によれば、保持金具を戸車レール上の定置に固定した後においても、永久磁石の位置を微調整することができるので、取り付け施工時の作業性を一層向上させることができる。
また、請求項５によれば、支持板を共通にして、永久磁石を左側の側板または右側の側板に配置した二種類の保持金具を用意することができるので、製作上および取り扱い上の便益を高めることができる。
【図面の簡単な説明】
【図１】本発明の保持金具を例示する背面からみた一部切欠斜視図である。
【図２】上記保持金具を戸車レールに取り付けた使用状態を示す一部断面正面図である。
【図３】図２の平面図である。
【図４】図２の断面側面図である。
【図５】上記保持金具の他の使用例を示す平面図である。
【図６】上記保持金具の微調整を説明する平面図である。
【図７】本発明の保持金具の他の実施の形態を示す背面視斜視図である。
【符号の説明】
１０：保持金具              １：支持板              １ａ：屈曲部
２：側板                  ３：側板                  ４：底板
５：永久磁石              ６：ボルト                ７：ネジ孔
８：螺軸                ８ａ：ロックナット
１２：戸車レール          １３：ドア
２０：保持金具            ２１：支持板            ２１ａ：屈曲部
２２：側板              ２２ａ：軸孔
【図１】
2004263394.tif 000003
【図２】
2004263394.tif 000004
【図３】
2004263394.tif 000005
【図４】
2004263394.tif 000006
【図５】
2004263394.tif 000007
【図６】
2004263394.tif 000008
【図７】
2004263394.tif 000009